(57)【特許請求の範囲】
【請求項１】
引出しを備えた家具本体を構成する左右側板の内側面の各々に、該家具本体の上面板の上方に配置された天板の左右側辺側の前後中間部から下方に延出され、かつ、前記上面板に形成された貫通孔を通して家具本体内に挿入された支持部材を昇降自在に保持する保持部を設け、少なくとも一組の支持部材と保持部との間に、支持部材を保持部に固定するロック機構を設けるとともに、前記ロック機構のロック解除具を、前記天板を把持した手指で操作可能な部位である前記支持部材の上端側に設けてある家具の天板昇降装置であって、
前記天板の下面の四隅に、最下降位置にある天板と家具本体の上面板との間に手指差込用スペースを確保するためのスペーサを設けるとともに、天板の下面の左右側辺側には、支持部材の上端を止着するための取付け部を備え、かつ前後方向で対をなすスペーサに亘るブラケットを固定し、各ブラケットの前後両端部にスペーサの位置決め部を形成してある家具の天板昇降装置。
【請求項２】
引出しを備えた家具本体を構成する左右側板の内側面の各々に、該家具本体の上面板の上方に配置された天板の左右側辺側の前後中間部から下方に延出され、かつ、前記上面板に形成された貫通孔を通して家具本体内に挿入された支持部材を昇降自在に保持する保持部を設け、少なくとも一組の支持部材と保持部との間に、支持部材を保持部に固定するロック機構を設けるとともに、前記ロック機構のロック解除具を、前記天板を把持した手指で操作可能な部位である前記支持部材の上端側に設けてある家具の天板昇降装置であって、
前記天板の下面の四隅に、最下降位置にある天板と家具本体の上面板との間に手指差込用スペースを確保するためのスペーサを設けるとともに、前記天板の下面の左右側辺側には、前後方向で対をなすスペーサに亘って断面コの字状のブラケットを固定し、各ブラケットの前後中間部に設けた取付け部に支持部材の上端部を嵌合状態で止着してある家具の天板昇降装置。
【発明の詳細な説明】
【０００１】
【発明の属する技術分野】
本発明は、机の天板下方に移動自在に収納される袖箱等の家具の天板昇降装置に関する。
【０００２】
【従来の技術】
従来の家具の天板昇降装置では、家具本体の上面と天板との間で、かつ、前後方向に所定間隔を隔てた二箇所の各々に、丁番を介して屈曲自在に連結された一対の木片を、水平方向に沿って折り畳まれた姿勢と上下方向に一直線状に起立した姿勢とに切換自在に丁番等で取付けて、天板を家具本体の上面側に接当状態で重合する下降位置と、その下降位置から直上方に向かって平行又はほぼ平行に移動させた上昇位置とに亘って昇降させる昇降機構を構成するとともに、起立姿勢にある前後二対の木片間に対して水平方向から挿抜操作自在で、かつ、前後二対の木片間に水平方向から挿入操作したとき、起立姿勢にある前記二対の木片の折り畳み姿勢への切換揺動を接当阻止する板状のストッパーを設けていた（例えば、特開平６−３４３５１８号公報参照）。
【０００３】
【発明が解決しようとする課題】
上記の天板昇降装置によれば、家具本体の上面の直上方位置において天板が水平又はほぼ水平姿勢で昇降するから、例えば、前記天板が上昇に伴って家具本体の前後方向の一側方に突出移動するように構成されているもの（例えば、特開平６−３４３５１８号公報に所載の図１参照）に比して、家具本体が壁際等に配置されている場合でも、天板を邪魔されることなくスムーズに昇降させることができ、しかも、上昇位置にある天板の一端に荷重が加えられても、天板の傾倒を抑制することができる利点を有する。
しかしながら、下降位置にある天板を上昇位置に切り換える際、天板を上昇位置にまで持ち上げて、前後二対の木片をそれぞれ起立姿勢に切り換えたのち、ストッパーを、天板の昇降方向と直交する水平方向からスライド操作して、該ストッパーを起立姿勢にある前後二対の木片間に挿入させなければならないため、その切換操作が煩雑で面倒になっていた。
しかも、前記家具本体の上面と天板の下面との間に、昇降機構を構成する前後二対の木片とストッパーとが配設されているため、昇降機構が外部に露出して外観意匠を損なうばかりでなく、家具本体の上面と天板の下面との間の空隙が大きくなり、家具の嵩張りを招来し易い。
【０００４】
本発明は、上述の実情に鑑みて為されたものであって、その目的は、家具の嵩張り抑制と外観意匠の向上とを図りながら、天板の高さ変更作業を迅速、容易に行うことができる家具の天板昇降装置を提供する点にある。
【０００５】
【課題を解決するための手段】
上記目的を達成するために、本発明の請求項１記載の特徴構成は、引出しを備えた家具本体を構成する左右側板の内側面の各々に、該家具本体の上面板の上方に配置された天板の左右側辺側の前後中間部から下方に延出され、かつ、前記上面板に形成された貫通孔を通して家具本体内に挿入された支持部材を昇降自在に保持する保持部を設け、少なくとも一組の支持部材と保持部との間に、支持部材を保持部に固定するロック機構を設けるとともに、前記ロック機構のロック解除具を、前記天板を把持した手指で操作可能な部位である前記支持部材の上端側に設けてある家具の天板昇降装置であって、
前記天板の下面の四隅に、最下降位置にある天板と家具本体の上面板との間に手指差込用スペースを確保するためのスペーサを設けるとともに、天板の下面の左右側辺側には、支持部材の上端を止着するための取付け部を備え、かつ前後方向で対をなすスペーサに亘るブラケットを固定し、各ブラケットの前後両端部にスペーサの位置決め部を形成した点にある。
上記特徴構成によれば、天板の支持部材を昇降自在に保持する保持部を家具本体に設けてあるが故に、従来のように家具本体の上面と天板の下面との間に存在する昇降関係の部品数を減少することができるばかりでなく、家具本体の上面と天板の下面との間の空隙を任意の大きさに設定し易い。
しかも、天板を把持した手指でロック解除具の操作を行うことができるから、ロック機構の切換操作と天板自体の昇降操作とを一連の操作により行うことができる。
それ故に、従来の家具の天板昇降装置に比して、家具本体の上面と天板の下面との間での外観意匠を向上することができるばかりでなく、家具の嵩張りも抑制することができ、しかも、天板の高さ変更作業を一連の操作で迅速、容易に行うことができる。
【０００６】
また、天板を二箇所で昇降案内するので、支持部材及び保持部が、天板及び家具本体の相対向する一箇所に設けられている場合に比して、昇降操作される天板の水平又はほぼ水平姿勢を維持し易く、しかも、支持部材の保持部に対するこじれが生じ難いため、天板の上昇位置及び下降位置への切換操作をスムースに行うことができる。
【０００７】
更に、前記ブラケットは天板の前後方向の両隅部に位置するスペーサにまで及ぶ長さに構成されているため、前記袖箱の天板に作用する外力を分散して受け止めることができ、天板の支持強度の向上を図ることができるとともに、この長いブラケットの端面を利用してスペーサの取付けの容易化を図ることができる。
【０００８】
本発明の請求項２記載の特徴構成は、引出しを備えた家具本体を構成する左右側板の内側面の各々に、該家具本体の上面板の上方に配置された天板の左右側辺側の前後中間部から下方に延出され、かつ、前記上面板に形成された貫通孔を通して家具本体内に挿入された支持部材を昇降自在に保持する保持部を設け、少なくとも一組の支持部材と保持部との間に、支持部材を保持部に固定するロック機構を設けるとともに、前記ロック機構のロック解除具を、前記天板を把持した手指で操作可能な部位である前記支持部材の上端側に設けてある家具の天板昇降装置であって、
前記天板の下面の四隅に、最下降位置にある天板と家具本体の上面板との間に手指差込用スペースを確保するためのスペーサを設けるとともに、前記天板の下面の左右側辺側には、前後方向で対をなすスペーサに亘って断面コの字状のブラケットを固定し、各ブラケットの前後中間部に設けた取付け部に支持部材の上端部を嵌合状態で止着した点にある。
上記特徴構成によれば、特に、天板の支持強度の向上を図ることができる。
【０００９】
また、前記支持部材が筒状体から構成されていて、該支持部材内に前記連結体が配設されている場合には、支持部材の内部空間を連結体の配設空間として利用するから、連結体が支持部材の外部に露出状態で突出することがなく、構造のコンパクト化と家具全体の外観意匠の向上とを図ることができる。
【００１０】
更に、前記保持部が、家具本体に取付けられる筒状又はほぼ筒状のベースの上下両端の各々に、該ベースに挿入された支持部材を摺動案内する摺動案内面を備えた摺動ガイド部材を嵌合固定して構成されている場合には、支持部材の保持部に対する昇降移動を、上下２箇所の摺動ガイド部材の摺動案内面によりスムースに摺動案内できるばかりでなく、支持部材の昇降操作時の水平方向へのガタツキも規制できるので、特別なガタツキ防止部材が不要で、天板昇降構造の簡素化を図ることができる。
【００１１】
【発明の実施の形態】
〔第１実施形態〕
図１〜図８は、学習机の天板下方に移動自在に収納される袖箱の天板昇降装置を示し、例えば図８に示すような、引出しａ及びキャスターｂ等を備えた家具本体１内に、この家具本体１の上面板１Ａの上方に配置された天板２の左右側辺側の前後中間部から下方に延出された支持部材３を昇降自在に保持する保持部４を設けるとともに、支持部材３を保持部４に固定するロック機構Ｂのロック解除具５を、前記天板２を把持した手指で操作可能な部位である天板２下方で支持部材３の上端側に設けてある。
尚、前記支持部材３は、家具本体１の上面板１Ａに形成された貫通孔６を通して家具本体１内に挿入されている。
【００１２】
図８に示すように、前記支持部材３及び保持部４は、前記天板２及び家具本体１の相対向する２箇所に設けられていて、保持部４が、家具本体１内のうち、該家具本体１を構成する左右両側板１Ｂの内側面の各々に設けられているとともに、両支持部材３は、それらの上端側を、天板２の下面に固着されているブラケット７に備えられ、互いに背中合わせ姿勢となるように配置されている左右一対のコの字状の取付け部７Ａの各々に内嵌状態でビス止め止着して、天板２の下面から下方に向かって垂下姿勢で延出されている。
従って、前記天板２の支持部材３上端側からの上方への抜け出し移動はビスにより規制されるとともに、天板２の水平方向への移動は支持部材３の外周面と取付け部７Ａの内面との接当により規制され、天板２と支持部材３との取付強度の向上を図ることができる。
【００１３】
図４、図５に示すように、前記各支持部材３は、一対の断面コの字状の分割部材３Ａ，３Ｂ同士を嵌合して形成された水平断面横長矩形状の筒状体から構成されている。
また、図１〜図３及び図６に示すように、前記保持部４は、家具本体１の左右両側板１Ｂの内側面に取付けられるベース８の上下両端の各々に、支持部材３を挿通状態で摺動案内する摺動案内面９Ａを備えたポリアセタール（ＰＯＭ）製の摺動ガイド部材９を嵌合固定して構成されている。
図５に示すように、前記ベース８は、水平断面横長矩形状に形成された角筒の周壁のうち、一方の長辺側周壁部分に上下方向に沿うスリット１０が形成されたほぼ筒状の部材から構成されていて、前記両摺動ガイド部材９間に位置する支持部材３部分は、ベース８内に挿入された状態で保持されている。
更に、前記ベース８の両短辺側周壁部分の上下両端側の各々には、前記各摺動ガイド部材９の嵌合部分９Ｂに形成されている一対の係合爪１３と係合して、該摺動ガイド部材９の抜け出しを規制する係合孔１４が貫通形成されている。
尚、前記ベース８は、前記家具本体１の側板１Ｂ内側面に、スリット１０を形成してある周壁部分と相対向する周壁部分を沿わせ、その上下方向の３箇所を、ベース８内側から木ネジ１２にて止着して取付けられている。また、前記木ネジ１２をねじ込み操作するドライバー等の工具は、前記スリット１０を通してベース８内に差し込むことができる。
【００１４】
図２に示すように、前記支持部材３の周壁のうち、下方側の摺動ガイド部材９から下方に突出する一方の長辺側周壁部分には、横方向に一対のビス１１が螺着されていて、該両ビス１１の頭部１１Ａが、この下方側の摺動ガイド部材９の下端面との接当との接当により、支持部材３が保持部４から上方に抜け出すことを規制するための規制部に構成されている。
【００１５】
図５、図６に示すように、前記ロック機構Ｂは、天板２の上昇位置で、保持部４を構成するベース８の周壁のうち、一方の短辺側周壁部分の上下方向の６箇所に等ピッチを隔てて形成された係止孔１５に対して選択的に係合する係止体１６と、該係止体１６を係合方向に移動付勢する付勢体の一例であるコイルスプリング１７と、前記ロック解除具５のロック解除操作に連動して前記係止体１６を係合解除させる連結体の一例である一枚の連結プレート１８とを、前記支持部材３に付設して構成されている。
前記係止体１６は、支持部材３内に、その短辺方向に沿う横軸芯Ｐ周りで回転自在に軸支されていて、係止体１６の係止爪部分１６Ａが、図３、図６に示すように、支持部材３の一方の短辺側周壁部分に形成されている貫通孔１９を通して支持部材３の外方に突出して前記係止孔１５と係合する係合位置と、図７に示すように、前記貫通孔１９側に引退して係止孔１５との係合が解除される係合解除位置とに、前記横軸芯Ｐ周りでの往復回動により切換え自在に構成され、かつ、前記コイルスプリング１７により、係合方向である係合位置側に向かって移動付勢されている。
図６に示すように、前記係止体１６には、該係止体１６が係止孔１６に係合したときに、支持部材３の他方の短辺側周壁部分の内面と接当して、この支持部材３の下方への移動を阻止する荷重受け部２０が設けられていて、支持部材３に作用する天板２等の荷重を係止体１６と係止孔１５との係合部、及び、係止体１６の荷重受け部２０と支持部材３との接当部で分散支持することができるように構成されている。
【００１６】
図１〜図３に示すように、前記連結プレート１８は、支持部材３内を通して、係止体１６と天板２の下面側近傍位置とに亘って配設されているとともに、該連結プレート１８の上端側は、天板２の下面に沿う姿勢で、天板２の側縁のうち近接する側縁部分に向かって折り曲げ加工され、この折曲げ部分が支持部材３の上端側に形成されている切欠き部２１を通して外方に延出されている。
そして、前記折曲げ部分にポリプロピレン（ＰＰ）製のツマミ部材２２を外嵌装着して前記ロック解除具５が構成されている。
また、図５、図６に示すように、前記係止体１６と連結プレート１８とは、係止体１６に貫通形成されている長孔２３に、連結プレート１８の下端側に止着されている係止ピン２４を係合させて連結されていて、前記ロック解除具５の上方への引上げ操作、つまり、ロック解除操作に連れて連結プレート１８が一体的に上方に相対移動し、係止ピン２４及び長孔２３を介して係止体１６が、前記コイルスプリング１７の付勢力に抗して前記横軸芯Ｐ周りで係合解除方向に回転し、該係止体１６の係止爪部分１６Ａが係止解除位置側に向かって回動操作されて、係止孔１５と係止爪部分１６Ａとの係合、換言すれば、ロック機構Ｂのロックが解除されるように構成されている。
尚、前記横軸芯Ｐと水平方向で直交する方向への前記連結プレート１８の横触れは、該連結プレート１８の下端側に一体形成されている上下一対の半円状の突起２５の先端と、支持部材３の他方の短辺側周壁部分の内面との接触、及び、係止体１６の長孔２３の内周面と係止ピン２４との接当により規制されている。
【００１７】
図２に示すように、前記天板２の下面の四隅には、天板２が最も下方に押し下げられた下降位置にある状態で、家具本体１の上面板１Ａと天板２との間に手指を差し込み、この天板２を把持することができるスペースＳを確保するための合成ゴム製の脚状のスペーサ２６が各々付設されている。
また、前記家具本体１の上面板１Ａの形成されている両貫通孔６には、支持部材３の昇降移動を許容する状態で、該貫通孔６の内周面と支持部材３の外周面との間に形成される環状の隙間を目隠しする化粧キャップ２７が嵌着されている。
【００１８】
このように構成された天板昇降装置を備えた袖箱は、図１に示すように、天板２の家具本体１に対する高さ位置を、該天板２の上面を水平又はほぼ水平姿勢に保持した状態で、下降位置を含む上下７段の高さに切換えることができ、前記天板２が下降位置にある状態では、図３に２点鎖線で示すように、係止体１６の係止爪部分１６Ａが、下方側の摺動ガイド部材９の嵌合部分９Ｂの先端に形成されている傾斜カム面９Ｃに接当して、コイルスプリング１７の付勢力に抗して係合解除位置側に押し込まれ、ロック機構Ｂはロック解除状態となるが、前記スペーサ２６の存在により天板２がそれ以上下降することはない。
また、前記係止体１６の係止爪部分１６Ａを、保持部４の上下方向の６箇所に形成されている係止孔１５に選択的に係合させることにより、天板２を上昇位置で上下６段の高さ位置に選択的に切換えることができ、この状態では、係止体１６の係止爪部分１６Ａと係止孔１５との係合により支持部材３の下方への移動が規制されるから、天板２が、上昇位置のうち選択された高さ位置から下降することがない。
尚、前記天板２が最上昇位置に位置する状態では、この天板２の上側面と前記学習机の天板の上側面とが面一又はほぼ面一状態となるように構成されている。
【００１９】
更に、図６に示すように、前記係止体１６の係止爪部分１６Ａの上面は、先端側ほど下方に向かう傾斜カム面１６ａに形成されているので、この係止爪部分１６Ａは、天板２の上方への持ち上げ操作に連れて、係止孔１５の内周面上面と押圧接当し、コイルスプリング１７の付勢力に抗して係合解除位置側に回動して、自動的に係合が解除されるように構成されているので、天板２を上方に持ち上げる際には、ロック解除具５を一々ロック解除操作する必要がない。
【００２０】
前記上昇位置にある天板２を下降させる場合には、図７に示すように、天板２を少し上方に持ち上げ、その状態でロック解除具５を天板２を把持した手指でロック解除操作すると、係止体１６の係止爪部分１６Ａと係止孔１５との係合が解除されて、保持部４に対する支持部材３の下方への移動が許容され、天板２を下降位置まで押し下げ操作することができる。
更に、前記天板２の押し下げ操作途中で、ロック解除具５のロック解除操作を解除すると、解除直後に最初に係止体１６の係止爪部分１６Ａが対応する係止孔１５に、該係止爪部分１６Ａが係合して、それ以上の天板２の下降が阻止される。
【００２１】
また、当該第１実施形態では、上下方向で隣接する係止孔１５のピッチが２０ｍｍに設定されているので、何らかの不具合で、一方の支持部材３の係止体１６の係止爪部分１６Ａと保持部４の係止孔１５とが係合された状態で、他方の支持部材３の係止体１６の係止爪部分１６Ａと保持部４の係止孔１５とが係合されないことがあったとしても、この他方の支持部材３の係止体１６の係止爪部分１６Ａは、係合されなかった係止孔１５の下方に隣接する係止孔１５に対応する位置まで下降すると該係止孔１５と係合して、それ以上の他方の支持部材３の下降移動が抑制されるので、この他方の支持部材３の一方的な下降移動による天板昇降装置の破損を抑制することができる。
【００２２】
〔第２実施形態〕
図８は、前記第１実施形態の袖箱の天板昇降装置の別実施形態を示し、前記係止体１６とロック解除具５とを連結する連結体１８を操作ワイヤーから構成し、該操作ワイヤーの一端を係止体１６に連結するとともに、他端を支持部材３の内部及び上端側の切欠き部２１を通して天板２の下面側に導出し、この操作ワイヤーの他端を、天板２の下面で、この天板２を把持した手指でロック解除操作可能な部位に設けてあるロック解除具５としての操作レバーに連結してある。
その他の構成は、前記第１実施形態と同様に構成されている。
【００２３】
〔第３実施形態〕
一般に、学習机においては、机本体を共用しながら厚みの異なる天板３１が取り付けられる関係上、学習机の種類によっては床面から天板３１の上側面までの高さが異なる。
そのため、前記各実施形態の袖箱の天板昇降装置において、床面から天板３１の上側面までの高さが異なる複数種類の何れの学習机に対しても、その学習机の天板３１の下方から引き出した袖箱の天板２を上昇操作したときには、袖箱の天板２の上側面が学習机の天板３１の上側面と面一又はほぼ面一となるように、袖箱の天板２を複数種類の学習机の天板３１の厚みの差分に相当するピッチで昇降させる板厚差調整可能な調整手段を設けてもよい。
具体的に、床面から天板３１の上側面までの高さが異なる２種類の学習机に対応する袖箱の天板昇降装置としては、例えば、図１０〜図１２に示すように、前記ロック機構Ｂを構成する上下方向の８箇所に形成された係止孔１５のうち、最上部に位置する係止孔１５Ａとそれの直下に位置する係止孔１５との間のピッチを、前記２種類の学習机の各天板３１の厚みの差に相当する寸法のピッチ（以下、差ピッチと称する。）に形成するとともに、前記係止体１６が最上部に位置する係止孔１５Ａに係合する状態では、袖箱の天板２の上側面と、天板３１の厚みが厚い学習机の該天板３１の上側面とが面一又はほぼ面一となり、前記係止体１６が最上部に位置する係止孔１５Ａの直下に位置する係止孔１５に係合する状態では、袖箱の天板２の上側面と、天板３１の厚みが薄い学習机の該天板３１の上側面とが面一又はほぼ面一となるように構成する。
更に、前記支持部材３の周壁のうち、下方側の摺動ガイド部材９から下方に突出する一方の長辺側周壁部分の下端には、上下方向で前記差ピッチを隔てて形成された左右一対からなる計４つのビス孔（図示せず）を形成し、図１０に示すように、上側に位置する両ビス孔にビス１１を螺合した状態では、上側のビス孔に螺合されたビス１１の頭部１１Ａと下方側の摺動ガイド部材９の下端面との接当により、前記支持部材３の最上昇位置が、係止体１６が最上部の次に位置する係止孔１５と係合可能な位置に規制されるとともに、図１１に示すように、下側のビス孔にのみビス１１を螺合した状態では、前記支持部材３の最上昇位置が、係止体１６が最上部に位置する係止孔１５Ａと係合可能な位置に規制される。
従って、図１０に示すように、上側のビス孔にビス１１を螺合することにより、天板３１の厚みの薄い学習机において、その学習机の天板３１の下方から引き出した袖箱に天板２を、前記ビス１１による規制作用が働く最上昇位置にまで上昇操作するだけで、該袖箱の天板２の上側面を学習机の天板３１の上側面と面一又はほぼ面一にすることができ、また、図１１に示すように、下側のビス孔にビス１１を螺合することにより、天板３１の厚みの厚い学習机において、その学習机の天板３１の下方から引き出した袖箱の天板２を、前記ビス１１による規制作用が働く最上昇位置にまで上昇操作するだけで、該袖箱の天板２の上側面を学習机の天板３１の上側面と面一又はほぼ面一にすることができる。
つまり、前記ビス孔とビス１１及び下方側の摺動ガイド部材９の下端面とをもって、学習机の天板３１の種類に応じて袖箱の天板２の最上昇位置を規制する規制手段３２が構成され、更に、該規制手段３２とロック機構Ｂとをもって前記調整手段を構成する。
このように構成された袖箱の天板昇降装置では、前記学習机の天板３１の厚み等に起因して、床面から該天板３１の上側面までの高さが異なる複数種類の学習机の何れに対しても、前記規制手段３２による最上昇規制位置を選択して、ロック機構Ｂを操作するという簡単な操作で、袖箱の天板２の上側面と学習机の天板３１の上側面とを面一又はほぼ面一にすることができるから、複数種類の天板昇降装置を準備する必要がなく、製造コストの低廉化を図ることができる。
【００２４】
また、当該第３実施形態では、図１２、図１３に示すように、前記袖箱の天板２の下面に対する支持部材３の取付け構造として、該天板２の下面の四隅に、最下降位置にある天板２と家具本体１の上面板１Ａとの間に手指差込用スペースを確保するためのスペーサ２６を設けるとともに、天板２の下面の左右側辺側で、かつ、天板２の前後方向で対をなす両スペーサ２６に亘って断面コの字状のブラケット３３を配置し、該ブラケット３３の長手方向複数箇所を袖箱の天板２の下面にビス止め固定するとともに、このブラケット３３の長手方向両端部には、前記両スペーサ２６の外周面に沿って接当する位置決め部である弧状凹部３３Ｂを形成してある。
そして、前記ブラケット３５の長手方向中間部に形成されているコの字状の取付け部３３Ａに支持部材３の上端部を内嵌状態でビス止め止着して、該支持部材３を天板２の下面から下方に向かって垂下姿勢で延出してある。
この場合、前記ブラケット３３は天板２の前後方向の両隅部に位置するスペーサ２６にまで及ぶ長さに構成されているため、前記袖箱の天板２に作用する外力を分散して受け止めることができ、天板２の支持強度の向上を図ることができるとともに、この長いブラケット３３の端面を利用してスペーサ２６の取付けの容易化を図ることができる。
その他の構成は、前記第１実施形態と同様に構成されている。
【００２５】
尚、床面から天板３１の上側面までの高さが異なる３種類以上の学習机に対応する袖箱の天板昇降装置としては、最上部に位置する係止孔１５Ａからこれら学習机の種類の数だけ下方に位置する係止孔１５までの上下方向で隣接する係止体１５Ａ，１５同士のピッチを、学習机の天板３１の厚みの差分に相当するピッチに形成すればよい。
この場合、前記ビス孔は、学習机の種類数に相当する数だけ上下方向で前記学習机の天板３１の厚みの差分に相当する差ピッチを隔てて形成する。
【００２６】
また、前記係止孔１５を保持部４側に、係止体１６を支持部材３側に設けたが、この構造に限定されるものではなく、係止孔１５を支持部材３側に、係止体１６を保持部４側に設けて実施してもよい。
【００２７】
更に、前記規制手段３２をビス孔とビス１１とにより構成したが、支持部材３に対して出退自在に構成されているピン等から構成してもよい。
【００２８】
〔その他の実施形態〕
▲１▼  前記各実施形態では、前記ロック機構Ｂにより支持部材３を保持部４に係止固定しているが、この構成に限定されるものではなく、例えば、支持部材３を保持部４に摩擦保持させる機構をロック機構Ｂに構成してもよく、また、支持部材３を保持部４に対して昇降自在にガスシリンダで連結し、該ガスシリンダを前記ロック機構Ｂに構成してもよい。
▲２▼  前記各実施形態では、前記支持部材３及び保持部４を、天板２及び家具本体１の相対向する２箇所に設けたが、この構成に限定されるものではない。要するに、天板２を昇降操作できるならば、支持部材３及び保持部４を、天板２及び家具本体１の相対向する１箇所、又は、３箇所以上に設けて実施してもよい。
▲３▼  前記各実施形態では、前記ロック機構Ｂを、天板２及び家具本体１の相対向する２箇所に設けられた二組の支持部材３と保持部４との間の各々に設けたが、一組の支持部材と保持部との間にのみ、ロック機構Ｂが設けられていてもよい。
▲４▼  前記各実施形態では、保持部４を、家具本体１に取付けられるほぼ筒状のベース８の上下両端の各々に、該ベース８に挿入された支持部材３を摺動案内する摺動案内面９Ａを備えた摺動ガイド部材９を嵌合固定して構成したが、この構成に限定されるものではない。要するに、支持部材３を昇降自在に保持できるものであるならばよい。
▲５▼  前記保持部４を構成するベース８及び支持部材３を共に円筒部材から構成してもよい。この場合、ベース８を家具本体１の側板に取付けるための工具を、該支持部材３内に差し込むためのスリット１０に換えて、複数の挿通孔を形成して実施してもよい。
▲６▼  前記各実施形態では、前記保持部４の上下方向の６箇所に係止孔１５を形成して実施したが、この構成に限定されるものではなく、係止孔１５は、天板２の上昇位置における高さ位置の切換え段数に応じて形成すればよく、例えば、天板２の上昇位置における高さ位置を一段しか設けない場合には、保持部４の上下方向の一箇所に形成すればよい。
▲７▼  前記各実施形態では、前記天板２の下降位置において、ロック機構Ｂがロック解除状態となるように構成されているが、天板２の下降位置でも、ロック機構Ｂがロック状態となるように構成してもよい。
▲８▼  前記各実施形態では、ロック機構Ｂが、天板２の持ち上げ操作時に自動的にロック解除されるように構成されているが、天板２を持ち上げ操作する場合にも、天板２を押し下げ操作する時と同様に、ロック解除具５をロック解除操作しなければ持ち上げ操作できないように構成して実施してもよい。
▲９▼  前記各実施形態では、本発明の技術を袖箱の天板昇降装置に適用した場合について説明したが、袖箱以外の家具、例えば、ワゴン、テーブル、レンジ台或いは学習机等の他の家具の天板昇降装置に適用することもできる。
【００２９】
尚、特許請求の範囲の項に図面との対照を便利にするために符号を記すが、該記入により本発明は添付図面の構成に限定されるものではない。
【図面の簡単な説明】
【図１】本発明の第１実施形態を示す袖箱上部の正面断面図
【図２】天板を下降位置に切換操作した状態の袖箱上部の正面断面図
【図３】天板昇降装置の側断面図
【図４】支持部材の水平断面図
【図５】ロック機構の水平断面図
【図６】ロック機構の側断面図
【図７】ロック機構をロック解除操作した状態の側断面図
【図８】袖箱の斜視図
【図９】本発明の第２実施形態の天板昇降装置を示す側断面図
【図１０】本発明の第３実施形態を示す袖箱上部の正面図
【図１１】本発明の第３実施形態を示す袖箱上部の正面図
【図１２】本発明の第３実施形態を示す袖箱上部の側断面図
【図１３】本発明の第３実施形態を示すブラケットの平面図
【符号の説明】
１    家具本体
２    天板
３    支持部材
４    保持部
５    ロック解除具
８    ベース
９    摺動ガイド部材
９Ａ  摺動案内面
１５  係止孔
１６  係止体
１７  付勢体
１８  連結体
２０  荷重受け部
Ｂ    ロック機構
【図１】
0003682183.tif 000002
【図２】
0003682183.tif 000003
【図３】
0003682183.tif 000004
【図４】
0003682183.tif 000005
【図５】
0003682183.tif 000006
【図６】
0003682183.tif 000007
【図７】
0003682183.tif 000008
【図８】
0003682183.tif 000009
【図９】
0003682183.tif 000010
【図１０】
0003682183.tif 000011
【図１１】
0003682183.tif 000012
【図１２】
0003682183.tif 000013
【図１３】
0003682183.tif 000014